(57)【要約】【課題】幼児の体型の相違，あるいは成長による体格の変化に応じて，座部クッションと背もたれクッションとを使い分けることができるベビーチェア用クッションを提供する。【解決手段】座部２および背もたれ部３を有するベビーチェア１の座部２に装着される座部クッション２０と，背もたれ部３に装着される背もたれクッション３０とを備え，座部クッション２０と背もたれクッション３０とが連結されているとともに連結部１１に関して両クッション２０，３０が正面視対称形状に構成され，かつ両クッションの厚さが異なっている。座部クッション２０と背もたれクッション３０は連結部１１で折り畳んで重畳可能であり，連結部１１が携行時の持ち手を構成する。【選択図】図２
2006122405.tif 000002
【特許請求の範囲】
【請求項１】
座部および背もたれ部を有するベビーチェアの座部に装着される座部クッションと，前記背もたれ部に装着される背もたれクッションとを備えたクッションであって，
前記座部クッションと背もたれクッションとが連結されているとともに当該連結部に関して前記両クッションが正面視対称形状に構成され，かつ両クッションの厚さが異なっていることを特徴とするベビーチェア用クッション。
【請求項２】
前記座部クッションと背もたれクッションは前記連結部で折り畳んで重畳可能であり，かつ前記連結部が携行時の持ち手を構成することを特徴とする請求項１記載のベビーチェア用クッション。
【発明の詳細な説明】
【技術分野】
【０００１】
本発明は，ベビーチェアに装着して用いるベビーチェア用クッションに関するものである。
【背景技術】
【０００２】
従来，座部および背もたれ部を有するベビーチェアの座部に装着される座部クッションと，前記背もたれ部に装着される背もたれクッションとを備えたベビーチェア用クッションが知られている（例えば特許文献１参照）。
【特許文献１】特許第３４９１８３７号公報
【発明の開示】
【発明が解決しようとする課題】
【０００３】
ベビーチェアを利用する幼児は，体型も様々であるし，成長するにつれて体格も異なってくる。
上述した従来のベビーチェア用クッションは，その座部クッションはベビーチェアの座部に装着される専用の形状，背もたれクッションはベビーチェアの背もたれに装着される専用の形状となっていた。
このため，従来のベビーチェア用クッションでは，幼児の体型の相違，あるいは成長による体格の変化に応じて，座部クッションと背もたれクッションとを使い分けることはできなかった。
この発明の目的は，上記課題を解決し，幼児の体型の相違，あるいは成長による体格の変化に応じて，座部クッションと背もたれクッションとを使い分けることができるベビーチェア用クッションを提供することにある。
【課題を解決するための手段】
【０００４】
上記目的を達成するために，本発明のベビーチェア用クッションは，座部および背もたれ部を有するベビーチェアの座部に装着される座部クッションと，前記背もたれ部に装着される背もたれクッションとを備えたクッションであって，
前記座部クッションと背もたれクッションとが連結されているとともに当該連結部に関して前記両クッションが正面視対称形状に構成され，かつ両クッションの厚さが異なっていることを特徴とする。
このような構成によれば，座部クッションと背もたれクッションとが連結されているとともに当該連結部に関して前記両クッションが正面視対称形状に構成されているので，座部クッションと背もたれクッションとを逆にして用いる，すなわち，座部クッションを背もたれクッションとして，また，背もたれクッションを座部クッションとして用いることができる。
そして，両クッションの厚さは異なっているので，幼児の体型の相違，あるいは成長による体格の変化に応じて上記座部クッションと背もたれクッションとを使い分けることでこれらの厚さの違いを利用し，ベビーチェアに座る幼児の姿勢を良好にすることが可能となる。
望ましくは，前記座部クッションと背もたれクッションは前記連結部で折り畳んで重畳可能とし，かつ前記連結部で携行時の持ち手を構成する。
このように構成すると，ベビーチェア用クッションを容易に携行することができる。
【発明を実施するための最良の形態】
【０００５】
図１は，本発明に係るベビーチェア用クッションの一実施の形態を示す図で，（ａ）は正面図，（ｂ）は平面図，（ｃ）は側面図，（ｄ）は背面図，（ｅ）は底面図である。また，図２は使用状態を示す図で，（ａ）は全体斜視図，（ｂ）は背部から見た部分斜視図，（ｃ）前方下部から見た部分斜視図，（ｄ）は携行時の図である。
【０００６】
これらの図に示すように，このベビーチェア用クッション１０は，座部２および背もたれ部３を有するベビーチェア１の座部２に装着される座部クッション２０と，背もたれ部３に装着される背もたれクッション３０とを備えている。
座部クッション２０と背もたれクッション３０とは，連結部１１で連結されているとともに，連結部１１に関して前記両クッション２０，３０が正面視対称形状に構成され，かつ両クッション２０，３０の厚さｔ２，ｔ３（図１（ｃ）参照）が異なっている。
【０００７】
両クッション２０，３０はその厚さが異なるだけで，形状は同一である。
両クッション２０，３０には，これをベビーチェア１の座部２または背もたれ部３に装着するためのベルト２１，２２，３１，３２が取り付けられており，これらベルトの先端部分には，それぞれマジックテープ（登録商標）４０が設けられている。
連結部１１は，両クッション２０，３０を接続している２本のベルト１２，１２と，これらベルト１２同士を連結しているベルト１３とで構成され，ベルト１３はその中央部１３ａが折り畳まれて両側縁部が逢着されている。
【０００８】
このようなベビーチェア用クッション１０は，例えば図２に示すように，座部クッション２０をそのベルト２１，２２を用いてベビーチェア１の座部２に装着し，背もたれクッション３０をそのベルト３１，３２を用いてベビーチェア１の背もたれ部３に装着して使用する。
あるいは，座部クッション２０と背もたれクッション３０とを逆にして使用する。すなわち，座部クッション２０をそのベルト２１，２２を用いてベビーチェア１の背もたれ部３に装着し，背もたれクッション３０をそのベルト３１，３２を用いてベビーチェア１の座部２に装着して使用する。
【０００９】
ベビーチェア１を利用する幼児は，体型も様々であるし，成長するにつれて体格も異なってくる。
したがって，例えば，幼児の体型が小さい場合には，図２に示すように，厚い方の背もたれクッション３０を背もたれ部３に装着することにより，幼児をベビーチェア１の前側に寄せた状態で座らせることができるし，逆に，幼児の体型が大きい場合（あるいは成長して大きくなった場合）には，図２に示す状態とは逆に，厚い方の背もたれクッション３０を座部２に装着し，薄い方の座部クッション２０を背もたれ部３に装着することで，幼児をベビーチェア１の適切な位置に座らせることができる。
なお，図２において，４は，ベビーチェア１に座らせた幼児が前のめりにならないようにするための保護バー，５は幼児の股部に入ってベビーチェア１からの滑り落ちを防止するための保護ベルトである。
【００１０】
このベビーチェア用クッション１０は，図２（ｄ）に示すように座部クッション２０と背もたれクッション３０とを連結部１１で折り畳んで重畳させることができ，連結部１１を持って携行することができる。したがって，出先でも使用することができる。
なお，携行時には，図２（ｄ）に示すように座部クッション２０のベルト２１と２２とをマジックテープ４０で接続し，背もたれクッション３０のベルト３１と３２とをマジックテープ４０で接続する。
【００１１】
以上のようなベビーチェア用クッション１０は，座部２および背もたれ部３を有するベビーチェア１の座部２に装着される座部クッション２０と，背もたれ部３に装着される背もたれクッション３０とを備え，座部クッション２０と背もたれクッション３０とが連結部１１で連結されているとともに当該連結部１１に関して両クッション２０，３０が正面視対称形状に構成され，かつ両クッション２０，３０の厚さが異なっているので，このような構成によれば，次のような作用効果が得られる。
すなわち，座部クッション２０と背もたれクッション３０とが連結されているとともに当該連結部１１に関して両クッション２０，３０が正面視対称形状に構成されているので，座部クッション２０と背もたれクッション３０とを逆にして用いる，すなわち，座部クッション２０を背もたれクッションとして，また，背もたれクッション３０を座部クッションとして用いることができる。
そして，両クッション２０，３０の厚さは異なっているので，幼児の体型の相違，あるいは成長による体格の変化に応じて上記座部クッション２０と背もたれクッション３０とを使い分けることでこれらの厚さの違いを利用し，ベビーチェア１に座る幼児の姿勢を良好にすることが可能となる。
また，座部クッション２０と背もたれクッション３０は連結部１１で折り畳んで重畳可能とし，かつ連結部１１で携行時の持ち手を構成してあるので，ベビーチェア用クッション１０を容易に携行することができる。
【００１２】
以上，本発明の実施の形態について説明したが，本発明は上記の実施の形態に限定されるものではなく，本発明の要旨の範囲内において適宜変形実施可能である。
【図面の簡単な説明】
【００１３】
【図１】本発明に係るベビーチェア用クッションの一実施の形態を示す図で，（ａ）は正面図，（ｂ）は平面図，（ｃ）は側面図，（ｄ）は背面図，（ｅ）は底面図。
【図２】使用状態を示す図で，（ａ）は全体斜視図，（ｂ）は背部から見た部分斜視図，（ｃ）前方下部から見た部分斜視図，（ｄ）は携行状態を示す図。
【符号の説明】
【００１４】
１    ベビーチェア
２    座部
３    背もたれ部
１０    ベビーチェア用クッション１０
１１    連結部
２０    座部クッション
３０    背もたれクッション
【図１】
2006122405.tif 000003
【図２】
2006122405.tif 000004